(57)【特許請求の範囲】
【請求項１】
植栽が可能な箱状の容器本体の外側面に、二酸化チタンを担持させた吸音体が取付けられ、吸音体はセラミックの粉末または粒子を固着させたものであって、前記吸音体に二酸化チタンが粒子径０．２μｍ以下の粒子状または膜厚０．１〜５μｍの膜状で担持され、その吸音体に騒音が吸音されると共に、吸音体に紫外光を照射させて二酸化チタンを活性化させることにより、大気中の汚染物質が除去されることを特徴とする植栽容器。
【請求項２】
二酸化チタンと共に吸着剤が担持されたことを特徴とする請求項１記載の植栽容器。
【発明の詳細な説明】
【０００１】
【発明の属する技術分野】
本発明は、大気浄化機能と騒音低減機能とを具備させた植栽容器に関するものである。
【０００２】
【従来の技術】
例えば、道路の沿道の車道と歩道との間や中央分離帯、または公園等において、都市の緑化と景観の向上を図るため、また車両の進入を防止すると共にヘッドライトの眩光を遮るために、植物を植え付けたコンクリート等からなる植栽容器が設置されている。
【０００３】
【発明が解決しようとする課題】
一方、植栽容器の設置される付近は、一般には車両の往来が激しく、そのために車両から排出される排気ガス等に含まれる窒素酸化物や硫黄酸化物等の汚染物質が大気中に浮遊して環境汚染の問題が発生し、また騒音問題が発生している所でもある。しかしながら従来の植栽容器は、前記環境汚染や騒音問題に対しては効果的でないばかりか、車両から排出される排気ガスを受けやすい地表近くに設置されるため、汚染物質により外側面が汚染されて美観が損なわれ、また外側面に当たった騒音が反射して、周囲に拡散する問題がある。
【０００４】
そこで本発明は上記の如き問題を解決し、車両から排出される排気ガス等に含まれる窒素酸化物や硫黄酸化物等の汚染物質を除去することのできると共に汚染物質により汚染されにくい、加えて騒音を低減させることができる植栽容器を提供せんとするものである。
【０００５】
【課題を解決するための手段】
上記目的を達成するために、本発明は次のような構成としている。
すなわちこの発明に係る植栽容器は、植栽が可能な箱状の容器本体の外側面に、二酸化チタンを担持させた吸音体が取付けられ、吸音体はセラミックの粉末または粒子を固着させたものであって、前記吸音体に二酸化チタンが粒子径０．２μｍ以下の粒子状または膜厚０．１〜５μｍの膜状で担持され、その吸音体に騒音が吸音されると共に、吸音体に紫外光を照射させて二酸化チタンを活性化させることにより、大気中の汚染物質が除去されることを特徴とするものである。
【０００６】
本発明によれば、植栽が可能な箱状の容器本体の外側面に、二酸化チタンを担持させた吸音体が取付けられ、この吸音体に紫外光を照射させて二酸化チタンを活性化させことにより、活性化された二酸化チタンに、大気中に浮遊した車両の排気ガスやタイヤの磨耗粉等による窒素酸化物や硫黄酸化物等の汚染物質が触れると、空気中の酸素と水分の存在下、二酸化チタンの活性化による強い酸化力によって、前記汚染物質は硝酸や硫酸等に酸化されて除去される。また車両から発せられる騒音は、吸音体により吸音されて低減される。
【０００７】
しかも植栽容器は、車両の排気ガス等や騒音を受けやすい地表近くに設置されるため、効果的に汚染物質を除去させ、また騒音を低減させることができる。またこの植栽容器は容器本体が吸音体で覆われ、しかもこの吸音体に触れた汚染物質は前記の如く酸化除去されることにより、吸音体は汚染物質に汚染されることがなく、従って美観が損なわれることがない。
【０００８】
【発明の実施の形態】
次に、本発明の実施の形態について、具体的に説明する。
図１は本発明の実施の一形態を示す斜視図であり、図２は図１の断面図、図３は本発明の設置例を示す斜視図である。
【０００９】
図面において、１は例えばコンクリートや合成樹脂等の適宜材質からなる箱状の容器本体であり、この中に培土２を充填し、植物３を植え付けて栽培できるようになされているものである。４は容器本体１の外側面にボルトや接着剤等の適宜手段で取付けられた吸音体であり、この吸音体４に二酸化チタンが担持されている。なお本形態では、吸音体４と容器本体１との間に空気層５を設け、低周波域の騒音も効果的に低減させるようになされている。
【００１０】
吸音体４に担持される二酸化チタンとしては、ルチル型でもよいが、活性の高さからアナターゼ型のものが好ましく、この二酸化チタンに波長領域が３００〜４００ｎｍの紫外光を照射することによって活性化され、その活性化により強い酸化力が発現されて、二酸化チタンの表面に接する窒素酸化物や硫黄酸化物等の汚染物質が空気中の酸素と水分の存在によって硝酸や硫酸等に酸化されて捕捉除去される。
【００１１】
吸音体４は、セラミック粉末や粒子を焼結等により固着させたものであって、セラミック粉末や粒子を焼結等により固着させたものを用いることにより、強度的に優れ、且つ二酸化チタンの活性による強い酸化力により酸化されて窒素酸化物や硫黄酸化物等の汚染物質から生ずる硝酸や硫酸等にも侵されにくくなる。
【００１２】
この吸音体４には、二酸化チタンのみを担持させてもよいが、二酸化チタンに加えて他の材料、例えば吸着剤とともに担持さてもよく、またふっ素系合成樹脂等のバインダー中に分散された状態で担持させてもよい。二酸化チタンとともに吸着剤を担持させると、吸着剤に汚染物質が吸着されると共に、その吸着された汚染物質は除去が可能な状態まで、すなわち二酸化チタンにより硝酸や硫酸等に酸化されるまで脱着されることが防止される。吸着剤としては、活性炭、ゼオライト等が一般に使用される。
【００１３】
二酸化チタンを吸音体４に担持させるには、二酸化チタンまたは二酸化チタンと吸着剤等の他の材料とからなる混合物、または二酸化チタン等をフッ素系合成樹脂等のバインダー中に分散させた混合物等を適宜方法で付着させればよく、この方法としては、二酸化チタンや二酸化チタンの混合物等の粉末を溶融させて吹き付ける溶射法、化学反応を介して析出させるＣＶＤ（化学的製膜法）、スプレーにて吹き付けるスプレー法、スパッタ蒸発させて沈着させるスパッタ蒸着法、真空蒸着、塗装等が適用されるが、特に限定されるものではない。
【００１４】
なお汚染物質の除去能力を高めるために、二酸化チタンをできるだけ大気中の窒素酸化物や硫黄酸化物等の汚染物質に触れるように、接触面積をできるだけ大きくした状態で担持させるのが好ましく、本発明では表面積の大きい状態、すなわち粒子径０．２μｍ以下、好適には０．００５〜０．００７μｍ程度の超微粒子状や膜厚０．１〜５μｍ、好適には０．１〜０．８μｍ程度の薄膜状で担持させる。
【００１５】
また吸音体４に紫外光を照射させて二酸化チタンを活性化させるためには、二酸化チタンが紫外光を受け得る状態、例えば露出された状態で担持され、その二酸化チタンが紫外光を受けて活性化されるようになされていればよい。すなわちこの二酸化チタンを活性化させる光の波長領域は３００〜４００ｎｍの紫外光であるが、この紫外光は太陽光に多く含まれ、また水銀灯やブラックライト等の光にも含まれているため、吸音体４を太陽光にさらした場合、二酸化チタンがその太陽光を受け得るように、または水銀灯やブラックライト等の紫外光を多く含む人工光源にて照射した場合、二酸化チタンがその光を受け得るようになされていればよい。
【００１６】
なお窒素酸化物や硫黄酸化物等の汚染物質が酸化されて硝酸や硫酸等として二酸化チタンに捕捉されて吸音体４の表面等に蓄積されると、二酸化チタンの活性化が阻害されるため、吸音体４を降雨を利用して洗浄させるか、別途洗浄装置を付設して定期的に洗浄するのが好ましい。
【００１７】
【実施例】
次に本発明による植栽容器の実施例について説明する。
【００１８】
実施例として、セラミックの粒状体（磁器の粉砕物）を固着させてなる多孔質体を作成し、この多孔質体を二酸化チタン溶液に浸漬して１００ｍｍ／分のスピードで引き上げ、その表面に約１μｍの二酸化チタン被膜を形成して担持させた本発明に用いられる吸音体を作成した。
【００１９】
比較例として、二酸化チタン被膜を形成せずに、単にセラミックの粒状体（磁器の粉砕物）を固着させてなる多孔質体のみからなる吸音体を作成した。
【００２０】
上記実施例および比較例について、窒素酸化物の除去能力および汚染回復性を次の方法でそれぞれ測定し、その結果を表１に示した。なお表２には汚染回復性の評価指標を示した。
【００２１】
（窒素酸化物除去率の測定方法）
▲１▼  それぞれの吸音体を１００×５０ｍｍの面積に切り出し、これを試供サンプルとする。
▲２▼  これを図４に示すような窒素酸化物除去能力測定器のガラスセルにそれぞれ１枚つづ入れ、このガラスセルに１．５Ｌ／分の流量で１ｐｐｍの一酸化窒素を導入すると共に、紫外線照射ライトにより、０．３８ｍＷ／ｃｍ２  の紫外光を照射する。
▲３▼  ガラスセルから排出される窒素酸化物（主に一酸化窒素と二酸化窒素）の濃度を窒素酸化物濃度計で測定し、次式により窒素酸化物除去量を求め、窒素酸化物除去率を算出する。
窒素酸化物除去量＝（導入した一酸化窒素量）−（排出された窒素酸化物量）
窒素酸化物除去率＝（窒素酸化物除去量）／（導入した一酸化窒素量）×１００（％）
【００２２】
（汚染回復性の測定方法）
▲１▼  それぞれの吸音体を１００×５０ｍｍの面積に切り出し、これを試供サンプルとする。
▲２▼  サンプルに、ディーゼル車より排出された排気ガスを約１５分吹き付ける。
▲３▼  吹き付け後、０．１ｍＷの紫外光を４８時間照射する。
▲４▼  ブランクとの明度差（ΔＬ）を求める。
【００２３】
【表１】
0003577505.tif 000002
【００２４】
【表２】
0003577505.tif 000003
【００２５】
表１および表２より、比較例の吸音体では、窒素酸化物の除去能力は皆無であり、また排気ガスによりかなり汚染されるが、実施例による吸音体では、窒素酸化物の除去能力に優れ、また排気ガスによる汚れを殆ど感じないことが確認された。この測定結果から、実施例による吸音体を取付けた本発明による植栽容器によれば、窒素酸化物や硫黄酸化物等の汚染物質が効果的に除去され、またこの吸音体は汚染物質に汚染されることがなく、従って美観や視環境が損なわれることがないことが判明する。
【００２６】
次に前記実施例と比較例による吸音体をそれぞれ容器本体の外側面に取り付けた本発明による植栽容器と、従来の植栽容器とについて、垂直入射吸音率を測定し、その結果を表３に示した。
【００２７】
【表３】
0003577505.tif 000004
【００２８】
表３から、本発明による植栽容器は優れた吸音性能を有し、騒音を低減させることができることも確認された。
【００２９】
【発明の効果】
本発明によれば、植栽が可能な箱状の容器本体の外側面に、二酸化チタンを担持させた吸音体が取付けられ、この吸音体に紫外光を照射させて二酸化チタンを活性化させことにより、活性化された二酸化チタンに、大気中に浮遊した車両の排気ガスやタイヤの磨耗粉等による窒素酸化物や硫黄酸化物等の汚染物質が触れると、空気中の酸素と水分の存在下、二酸化チタンの活性化による強い酸化力によって、前記汚染物質は硝酸や硫酸等に酸化されて除去される。また車両から発せられる騒音は、吸音体により吸音されて低減される。
【００３０】
しかも植栽容器は、車両の排気ガス等や騒音を受けやすい地表近くに設置されるため、効果的に汚染物質を除去させ、また騒音を低減させることができる。またこの植栽容器は容器本体が吸音体で覆われ、しかもこの吸音体に触れた汚染物質は前記の如く酸化除去されることにより、吸音体は汚染物質に汚染されることがなく、従って美観が損なわれることがない。
【図面の簡単な説明】
【図１】本発明の実施の一形態を示す斜視図である。
【図２】図１の断面図である。
【図３】本発明の設置例を示す斜視図である。
【図４】窒素酸化物除去能力測定器の概要を示す説明図である。
【符号の説明】
１    容器本体
２    培土
３    植物
４    吸音体
５    空気層
【図１】
0003577505.tif 000005
【図２】
0003577505.tif 000006
【図３】
0003577505.tif 000007
【図４】
0003577505.tif 000008